(57)【要約】      （修正有）【課題】印刷紙の脱臭装置付き乾燥装置において、起動時に手待ち時間を減らして稼働率を高めるとともに熱エネルギを節約する。【解決手段】印刷紙の乾燥装置に、印刷インキの溶剤蒸気を含む排気を浄化する脱臭装置を付設し、脱臭装置の方が乾燥装置より、起動操作時から稼働可能になるまでの立上時間が長い脱臭装置付き乾燥装置において、運転装置は、乾燥装置と脱臭装置の運転停止について、通常停止部と脱臭装置起動予約付き停止部を設けた。通常停止部は、停止操作すると、乾燥装置と脱臭装置が運転を停止する構成にした。脱臭装置起動予約付き停止部は、停止操作すると、乾燥装置と脱臭装置が運転を停止する一方、計時を開始し、予め選定した脱臭装置運転停止時間Ｔが経過すると、乾燥装置を起動せずに脱臭装置を起動する構成にした。【選択図】図４
0003109899.tif 000002
【実用新案登録請求の範囲】
【請求項１】
乾燥装置は、乾燥室を設け、乾燥室は、入口から出口にかけて印刷紙通路を形成し、熱風を吹き出すノズルと、乾燥室内の空気を加熱装置で加熱してノズルに送る熱風供給路を設け、印刷紙は、印刷紙通路を通過し、ノズルから吹き出す熱風が当り、印刷インキの溶剤が蒸発する構成にし、
脱臭装置は、乾燥室内の印刷インキの溶剤蒸気を含む空気を酸化触媒装置に送り、酸化触媒装置は、乾燥室からの排気と酸化触媒を加熱装置で加熱し、排気を酸化触媒に接触させて、溶剤蒸気を含む排気を浄化する構成にし、
脱臭装置は、起動操作時から稼働可能になるまでの立上時間が乾燥装置より長い印刷紙の脱臭装置付き乾燥装置において、
乾燥装置と脱臭装置の運転停止について、通常停止部と、脱臭装置起動予約付き停止部を設け、
通常停止部は、停止操作すると、乾燥装置と脱臭装置が運転を停止する構成にし、
脱臭装置起動予約付き停止部は、停止操作すると、乾燥装置と脱臭装置が運転を停止する一方、計時を開始し、予め選定した脱臭装置運転停止時間が経過すると、乾燥装置を起動せずに脱臭装置を起動する構成にしたことを特徴とする運転装置。
【請求項２】
脱臭装置運転停止時間の選定は、脱臭装置起動予約付き停止部の停止操作時に行う構成にしたことを特徴とする請求項１に記載の運転装置。
【考案の詳細な説明】
【技術分野】
【０００１】
本考案は、印刷紙を熱風で乾燥させてその熱風を脱臭する脱臭装置付き乾燥装置の運転装置に関する。
【背景技術】
【０００２】
巻取紙の印刷ラインにおいては、帯状の印刷紙は、高速オフセット印刷機を通過して印刷され、乾燥装置の熱風中を走行して加熱され、印刷インキが乾燥し、冷却装置を通過して冷却される。
【０００３】
乾燥装置は、印刷機と冷却装置との間に乾燥室を設けている。乾燥室は、前端壁に横長の入口を、後端壁に横長の出口を設け、入口から出口にかけて印刷紙通路を形成している。
【０００４】
乾燥室は、印刷紙通路に向けて熱風を吹き出すノズルを、印刷紙通路を挟んで上下に設けている。また、ノズルに熱風を供給する熱風供給路を設けている。熱風供給路は、乾燥室内の空気を加熱装置で加熱して送風機でノズルに送る。印刷紙は、印刷紙通路を通過し、ノズルから吹き出す熱風が当り、上下面に付着した印刷インキの溶剤が蒸発する。印刷インキが乾燥する。その結果、乾燥室内の空気は、印刷インキの溶剤蒸気が混入し、臭気を放つことになる。
【０００５】
乾燥装置は、乾燥室内の臭気を放つ空気を脱臭する脱臭装置を付設している。脱臭装置は、乾燥室内の印刷インキの溶剤蒸気を含む空気を送風機で排出して酸化触媒装置に送る。酸化触媒装置は、乾燥室からの排気と酸化触媒を加熱装置で加熱し、高温の排気を高温の酸化触媒に接触させて、溶剤蒸気を含む排気を酸化反応で浄化する。脱臭した排気は、大気に放出する。乾燥室は、内部の空気の一部が脱臭装置を経て大気に放出され、内部が負圧になって、入口と出口から外部の新鮮空気が流入する。
【０００６】
【特許文献１】特開２００４−３３０５６０号公報
【考案の開示】
【考案が解決しようとする課題】
【０００７】
上記のような脱臭装置付き乾燥装置は、起動操作をすると、乾燥装置においては、熱風供給路の送風機と加熱装置が作動し、ノズルから熱風が吹き出し、その熱風の温度が上昇する。ノズルから吹き出す熱風が印刷紙の印刷インキの乾燥に適した稼働温度になるには、１〜２分を要する。立上時間が１〜２分である。
【０００８】
一方、脱臭装置においては、起動操作をすると、送風機と酸化触媒装置の加熱装置が作動し、乾燥室からの排気が酸化触媒装置を経て大気に放出され、酸化触媒とこれに接触する排気の温度が上昇する。酸化触媒と排気が排気の脱臭に適した稼働温度になるには、１５〜３０分を要する。立上時間が１５〜３０分である。
【０００９】
脱臭装置は、乾燥装置に比べて、起動操作時から稼働可能になるまでの立上時間が非常に長い。
【００１０】
従って、乾燥装置と脱臭装置を同時に起動するときは、乾燥装置は、起動操作後、その短い立上時間が経過しても、脱臭装置の長い立上時間が経過するまでは、使用することができない。乾燥装置は、手待ち時間が脱臭装置の長い立上時間、１５〜３０分ということになる。稼働率が高くならない。また、乾燥装置は、脱臭装置の立ち上がりを待っている間に熱エネルギを消費する。
【００１１】
そこで、脱臭装置付き乾燥装置においては、稼働率を高めるため、運転停止時間が短いときには、乾燥装置を停止する一方、脱臭装置を停止せずに低負荷運転にして待機する。ところが、脱臭装置は、待機中に低負荷運転をしており、熱エネルギを消費する。
【課題を解決するための手段】
【００１２】
１）乾燥装置は、乾燥室を設け、乾燥室は、入口から出口にかけて印刷紙通路を形成し、熱風を吹き出すノズルと、乾燥室内の空気を加熱装置で加熱してノズルに送る熱風供給路を設け、印刷紙は、印刷紙通路を通過し、ノズルから吹き出す熱風が当り、印刷インキの溶剤が蒸発する構成にし、
脱臭装置は、乾燥室内の印刷インキの溶剤蒸気を含む空気を酸化触媒装置に送り、酸化触媒装置は、乾燥室からの排気と酸化触媒を加熱装置で加熱し、排気を酸化触媒に接触させて、溶剤蒸気を含む排気を浄化する構成にし、
脱臭装置は、起動操作時から稼働可能になるまでの立上時間が乾燥装置より長い印刷紙の脱臭装置付き乾燥装置において、
乾燥装置と脱臭装置の運転停止について、通常停止部と、脱臭装置起動予約付き停止部を設け、
通常停止部は、停止操作すると、乾燥装置と脱臭装置が運転を停止する構成にし、
脱臭装置起動予約付き停止部は、停止操作すると、乾燥装置と脱臭装置が運転を停止する一方、計時を開始し、予め選定した脱臭装置運転停止時間が経過すると、乾燥装置を起動せずに脱臭装置を起動する構成にしたことを特徴とする運転装置。
【００１３】
２）上記の運転装置において、
脱臭装置運転停止時間の選定は、脱臭装置起動予約付き停止部の停止操作時に行う構成にしたことを特徴とする。
【考案の効果】
【００１４】
通常停止部を停止操作すると、通常の通り、乾燥装置と脱臭装置が運転を停止する。
【００１５】
脱臭装置起動予約付き停止部を停止操作すると、乾燥装置と脱臭装置が運転を停止する一方、計時が開始し、予め選定した脱臭装置運転停止時間が経過すると、乾燥装置が起動せずに、脱臭装置が起動する。
【００１６】
作業者は、脱臭装置付き乾燥装置の運転停止時間が明らかなときには、その運転停止時間より脱臭装置の立上時間分短い時間、脱臭装置運転停止時間を選定して脱臭装置起動予約付き停止部を停止操作する。すると、乾燥装置と脱臭装置が運転を停止する。その後、予め選定した脱臭装置運転停止時間が経過すると、脱臭装置が起動する。
【００１７】
その後、脱臭装置の立上時間が経過する頃、即ち、停止操作後、脱臭装置付き乾燥装置の運転停止時間が経過する頃に、作業者は、乾燥装置を起動する。乾燥装置は、その短い立上時間が経過すると、使用することができる。稼働率が高くなる。また、熱エネルギが節約される。
【考案を実施するための最良の形態】
【００１８】
巻取紙の印刷ラインにおいては、帯状の印刷紙は、高速オフセット印刷機を通過して印刷され、脱臭装置付き乾燥装置の熱風中を走行して加熱され、紙面の印刷インキが乾燥し、冷却装置を通過して冷却される。
【００１９】
乾燥装置Ｄは、印刷機と冷却装置との間に乾燥室１を設けている。乾燥室１は、図１に示すように、箱形であり、前端壁に横長の入口２を、後端壁に横長の出口３を設け、入口２から出口３にかけて印刷紙通路４を形成している。帯状の印刷紙ａは、乾燥室１の入口２、印刷紙通路４と出口３を順次通過する。
【００２０】
細長い乾燥室１は、入口２側の第１区域５と出口３側の第２区域６とに分けている。第１区域５と第２区域６は、それぞれ、印刷紙通路４に向けて熱風を吹き出すノズル７を印刷紙通路４の上下に設けている。また、乾燥室１内の空気を加熱してノズル７に供給する熱風供給路８、９を設けている。熱風供給路８、９は、送風機８の吸込口を第１区域５、第２区域６内に開放し、送風機８の吐出口を加熱装置９の入口に接続し、加熱装置９の出口を上下のノズル７に接続している。加熱装置９は、気体燃料のような流体燃料を燃焼するバーナ装置である。
【００２１】
この乾燥装置Ｄは、起動操作時から稼働可能になるまでの立上時間が１〜２分である。帯状の印刷紙ａは、印刷紙通路４を通過し、第１区域５と第２区域６の上下のノズル７から吹き出す熱風が上下面に当り、上下面に付着した印刷インキの溶剤が蒸発する。紙面の印刷インキが乾燥する。その結果、乾燥室１内の空気は、印刷インキの溶剤蒸気が混入し、臭気を放つことになる。
【００２２】
乾燥装置Ｄは、乾燥室１内の臭気を放つ空気を脱臭する脱臭装置Ｐを付設している。脱臭装置Ｐは、図１に示すように、送風機１１の吸込口に乾燥室１の第２区域６を接続し、送風機１１の吐出口を熱交換器１２の受熱通路を経て酸化触媒装置１３、１４の入口に接続し、酸化触媒装置１３、１４の出口を熱交換器１２の放熱通路を経て大気に開放している。酸化触媒装置１３、１４は、浄化室に加熱装置１３と酸化触媒１４を設けている。加熱装置１３は、気体燃料のような流体燃料を燃焼するバーナ装置である。酸化触媒１４は、酸化反応を促進する金属の触媒をセラミックの担体に付着している。
【００２３】
この脱臭装置Ｐは、起動操作時から稼働可能になるまでの立上時間が１５〜３０分である。乾燥室１内の臭気を放つ空気は、送風機１１で排出されて酸化触媒装置１３、１４に送られる。酸化触媒装置１３、１４は、乾燥室１からの排気と酸化触媒１４を加熱装置１３で加熱し、高温の排気を高温の酸化触媒１４に接触させて、溶剤蒸気を含む排気を酸化反応で浄化する。脱臭された浄化排気は、大気に放出される。乾燥室１は、内部の空気の一部が脱臭装置Ｄを経て大気に放出され、内部が負圧になって、入口２と出口３から外部の新鮮空気が流入する。
【００２４】
脱臭装置Ｐ付き乾燥装置Ｄの立上時間は、乾燥装置Ｄが１〜２分で、脱臭装置Ｐが１５〜３０分であるので、脱臭装置Ｐの方が乾燥装置Ｄより非常に長い。
【００２５】
乾燥装置Ｄと脱臭装置Ｐは、図２に示すように、それぞれ、運転装置２１、２２に接続している。運転装置２１、２２は、制御部２１に操作部２２を接続している。操作部２２は、指を触れて操作するタッチパネル式である。
【００２６】
運転装置２１、２２は、乾燥装置Ｄと脱臭装置Ｐの起動について、通常起動部と個別起動部を設けている。通常起動部は、一つの起動操作で乾燥装置Ｄと脱臭装置Ｐの両者を起動する。個別起動部は、乾燥装置用の起動操作で乾燥装置Ｄを起動し、脱臭装置用の起動操作で脱臭装置Ｐを起動する。
【００２７】
また、運転装置２１、２２は、乾燥装置Ｄと脱臭装置Ｐの運転停止について、通常停止部と、個別停止部、及び、脱臭装置起動予約付き停止部を設けている。通常停止部は、一つの停止操作で乾燥装置Ｄと脱臭装置Ｐの両者の運転を停止する。個別停止部は、乾燥装置用の停止操作で乾燥装置Ｄの運転を停止し、脱臭装置用の停止操作で脱臭装置Ｐの運転を停止する。脱臭装置起動予約付き停止部は、一つの停止操作で乾燥装置Ｄと脱臭装置Ｐの両者の運転を停止し、その後、操作時に選定した時間、即ち、脱臭装置Ｐの運転停止時間が経過すると、脱臭装置Ｐを起動する。
【００２８】
操作部２２は、乾燥装置Ｄと脱臭装置Ｐの運転停止用のタッチパネル画面を備えている。このタッチパネル画面は、図３に示すように、左側に通常停止部の操作部３１を、右側に脱臭装置起動予約付き停止部の操作部３２を設けている。
【００２９】
通常停止部の操作部３１は、「通常停止」と書かれたボタン、接触操作部を設けている。この「通常停止」のボタンを指で押して停止操作すると、通常停止部は、乾燥装置Ｄと脱臭装置Ｐの運転を停止する。通常通り、それだけである。
【００３０】
脱臭装置起動予約付き停止部の操作部３２は、脱臭装置Ｐの運転停止時間、脱臭装置Ｐを停止してから再び起動するまでの時間を選定する、「３０分後起動」「４５分後」「６０分後」「９０分後」「１２０分後」と書かれた複数のボタン、接触操作部を設けている。例えば、「３０分後起動」のボタンを指で押して停止操作すると、脱臭装置起動予約付き停止部は、乾燥装置Ｄと脱臭装置Ｐの運転を停止する一方、タイマが計時を開始し、３０分が経過すると、脱臭装置Ｐを起動する。乾燥装置Ｄは起動しない。「４５分後」のボタンを停止操作すると、脱臭装置起動予約付き停止部は、乾燥装置Ｄと脱臭装置Ｐの運転を停止する一方、タイマが計時を開始し、４５分が経過すると、乾燥装置Ｄを起動せずに脱臭装置Ｐを起動する。脱臭装置Ｐ付き乾燥装置Ｄの運転停止操作と脱臭装置Ｐの運転停止から起動までの時間の選定は、１つの操作で同時に行う。
【００３１】
脱臭装置起動予約付き停止部は、操作部３２のいずれかのボタン、接触操作部を選択して停止操作すると、乾燥装置Ｄと脱臭装置Ｐの運転を停止する一方、タイマが計時を開始し、接触操作部の選択によって予め選定した時間、脱臭装置Ｐの運転停止時間が経過すると、乾燥装置Ｄを起動せずに脱臭装置Ｐを起動する。
【００３２】
作業者は、脱臭装置Ｐ付き乾燥装置Ｄの運転を停止する際に運転停止時間が明らかなときには、その運転停止時間の経過時点、即ち、運転停止後の運転再開時点より脱臭装置Ｐの立上時間分早く脱臭装置Ｐを起動するため、乾燥装置Ｄの運転停止時間より脱臭装置Ｐの立上時間分短い時間、即ち、脱臭装置Ｐの運転停止時間を選定して脱臭装置起動予約付き停止部の操作部３２を停止操作する。
【００３３】
例えば、脱臭装置Ｐ付き乾燥装置Ｄの運転停止時間が６０分で、脱臭装置Ｐの立上時間ｔが１５分であるときは、脱臭装置Ｐの運転停止から起動までの時間Ｔ、脱臭装置Ｐの運転停止時間Ｔが（６０分−１５分＝）４５分であるので、脱臭装置起動予約付き停止部の操作部３２中の「４５分後」のボタンを選定してそのボタンを指で押して停止操作する。
【００３４】
すると、図４に示すように、乾燥装置Ｄと脱臭装置Ｐが運転を停止する一方、タイマが計時を開始し、予め選定した時間Ｔ、脱臭装置Ｐの運転停止時間Ｔの４５分が経過すると、脱臭装置Ｐが起動する。その後、脱臭装置Ｐの立上時間ｔの１５分が経過する頃、即ち、停止操作後、脱臭装置Ｐ付き乾燥装置Ｄの運転停止時間の６０分が経過する頃に、作業者は、乾燥装置Ｄを起動する。乾燥装置Ｄは、その短い立上時間、１〜２分が経過すると、使用可能になる。乾燥装置Ｄの立上時間が経過した頃には、脱臭装置Ｐも、その立上時間が経過しており、使用可能になっている。脱臭装置Ｐ付き乾燥装置Ｄは、その運転停止時間、６０分の経過後、長い手待ち時間を置かずに直に稼働することができる。稼働率が高くなる。
【００３５】
［変形例］
１）上記の実施形態においては、脱臭装置Ｐの運転停止時間Ｔの選定は、「３０分後起動」のボタン、「４５分後」のボタン、「６０分後」のボタン、「９０分後」のボタンと「１２０分後」のボタンから１つのボタンを選択してデジタル式に行うが、時間設定用ダイヤルの連続回転で任意の時間を設定してアナログ式に行う構成にする。
【００３６】
２）上記の実施形態においては、脱臭装置Ｐの運転停止時間Ｔの選定は、脱臭装置起動予約付き停止部の停止操作時に同時に行うが、その停止操作時よりも前の運転途中に行う構成にする。
【図面の簡単な説明】
【００３７】
【図１】本考案の実施形態における運転装置を備えた印刷紙の脱臭装置付き乾燥装置の概略図。
【図２】同脱臭装置付き乾燥装置のブロック線図。
【図３】同運転装置の操作部の運転停止用タッチパネル画面の図。
【図４】同運転装置の脱臭装置起動予約付き停止部を操作した際の運転、停止状態を示す線図。
【符号の説明】
【００３８】
Ｄ  乾燥装置
ａ  帯状印刷紙
１  乾燥室
２  乾燥室の入口
３  乾燥室の出口
４  乾燥室の印刷紙通路
５  乾燥室の第１区域
６  乾燥室の第２区域
７  ノズル
８、９  熱風供給路
８  送風機
９  加熱装置
Ｐ  脱臭装置
１１  送風機
１２  熱交換器
１３、１４  酸化触媒装置
１３  加熱装置
１４  酸化触媒
２１、２２  運転装置
２１  制御部
２２  タッチパネル式操作部
３１  通常停止部の操作部
３２  脱臭装置起動予約付き停止部の操作部
ｔ  脱臭装置の立上時間
Ｔ  脱臭装置の運転停止から起動までの時間、脱臭装置の運転停止時間
【図１】
0003109899.tif 000003
【図２】
0003109899.tif 000004
【図３】
0003109899.tif 000005
【図４】
0003109899.tif 000006